(57)【要約】【課題】  同一階調のグレーの描画時における濃度差の発生、あるいは、筋状のむらの発生を防止できる固体走査型光書込み装置を得る。【解決手段】  電気光学効果を有する複数の光シャッタ素子を主走査方向に並置し、ＬＥＤ群からなる光源から放射された光を、前記光シャッタ素子のオン／オフにて変調し、感光材上に画像を形成する固体走査型光書込み装置。各光シャッタ素子Ｎｏ．１，Ｎｏ．２…Ｎｏ．Ｋは１走査ごとにタイミングｔ１で同時にオンされ、光源は１走査ごとに光シャッタ素子Ｎｏ．１，Ｎｏ．２…Ｎｏ．Ｋのオンから所定時間後のタイミングｔ６でオンされる。【選択図】  図２
2006224409.tif 000002
【特許請求の範囲】
【請求項１】
電気光学効果を有する複数の光シャッタ素子を主走査方向に並置した光シャッタモジュールと、１画素の描画に割り当てられた書込み時間内でオン／オフ制御可能であって前記光シャッタ素子に光を照射する光源と、それぞれの光シャッタ素子のオン／オフを画像データに応じて変調するための第１の駆動回路と、前記光源のオン／オフを制御するための第２の駆動回路と、を備え、
第１の駆動回路は１走査ごとに各光シャッタ素子を同時にオンし、第２の駆動回路は１走査ごとに光源を光シャッタ素子のオンから所定時間後にオンすること、
を特徴とする固体走査型光書込み装置。
【請求項２】
前記第２の駆動回路は１走査ごとに光源を光シャッタ素子のオンから所定時間後にオンするとともに、第１の駆動回路の最大露光時間で光源をオフすることを特徴とする請求項１に記載の固体走査型光書込み装置。
【請求項３】
前記第２の駆動回路は１走査ごとに光源を光シャッタ素子のオンから所定時間後にオンするとともに、画像データに含まれる最大階調に応じた露光時間で光源をオフすることを特徴とする請求項１に記載の固体走査型光書込み装置。
【請求項４】
前記第２の駆動回路は１走査ごとに光源を光シャッタ素子のオンから所定時間後にオンするとともに、該１走査の画像データに含まれる最大階調に応じた露光時間で光源をオフすることを特徴とする請求項１に記載の固体走査型光書込み装置。
【請求項５】
電気光学効果を有する複数の光シャッタ素子を主走査方向に並置した光シャッタモジュールと、１画素の描画に割り当てられた書込み時間内でオン／オフ制御可能であって前記光シャッタ素子に光を照射する光源と、それぞれの光シャッタ素子のオン／オフを画像データに応じて変調するための第１の駆動回路と、前記光源のオン／オフを制御するための第２の駆動回路と、を備え、
第１の駆動回路は１走査ごとに各光シャッタ素子を同時にオフし、第２の駆動回路は１走査ごとに光源を光シャッタ素子のオフと同時にオフすること、
を特徴とする固体走査型光書込み装置。
【請求項６】
前記第２の駆動回路は１走査ごとに光源を第１の駆動回路の最大露光時間オン状態に維持するとともに光シャッタ素子のオフと同時にオフすることを特徴とする請求項５に記載の固体走査型光書込み装置。
【請求項７】
前記第２の駆動回路は１走査ごとに光源を画像データに含まれる最大階調に応じた露光時間オン状態に維持するとともに光シャッタ素子のオフと同時にオフすることを特徴とする請求項５に記載の固体走査型光書込み装置。
【請求項８】
前記第２の駆動回路は１走査ごとに光源を該１走査の画像データに含まれる最大階調に応じた露光時間オン状態に維持するとともに光シャッタ素子のオフと同時にオフすることを特徴とする請求項５に記載の固体走査型光書込み装置。
【請求項９】
電気光学効果を有する複数の光シャッタ素子を主走査方向に並置した光シャッタモジュールと、１画素の描画に割り当てられた書込み時間内でオン／オフ制御可能であって前記光シャッタ素子に光を照射する光源と、それぞれの光シャッタ素子のオン／オフを画像データに応じて変調するための第１の駆動回路と、前記光源のオン／オフを制御するための第２の駆動回路と、を備え、
第２の駆動回路は１走査ごとに第１の駆動回路の最大露光時間で光源をオフすること、
を特徴とする固体走査型光書込み装置。
【請求項１０】
電気光学効果を有する複数の光シャッタ素子を主走査方向に並置した光シャッタモジュールと、１画素の描画に割り当てられた書込み時間内でオン／オフ制御可能であって前記光シャッタ素子に光を照射する光源と、それぞれの光シャッタ素子のオン／オフを画像データに応じて変調するための第１の駆動回路と、前記光源のオン／オフを制御するための第２の駆動回路と、を備え、
第２の駆動回路は１走査ごとに画像データに含まれる最大階調に応じた露光時間で光源をオフすること、
を特徴とする固体走査型光書込み装置。
【請求項１１】
電気光学効果を有する複数の光シャッタ素子を主走査方向に並置した光シャッタモジュールと、１画素の描画に割り当てられた書込み時間内でオン／オフ制御可能であって前記光シャッタ素子に光を照射する光源と、それぞれの光シャッタ素子のオン／オフを画像データに応じて変調するための第１の駆動回路と、前記光源のオン／オフを制御するための第２の駆動回路と、を備え、
第２の駆動回路は１走査ごとに該１走査の画像データに含まれる最大階調に応じた露光時間で光源をオフすること、
を特徴とする固体走査型光書込み装置。
【請求項１２】
前記光源は発光ダイオードであることを特徴とする請求項１ないし請求項１１のいずれかに記載の固体走査型光書込み装置。
【発明の詳細な説明】
【技術分野】
【０００１】
本発明は、固体走査型光書込み装置、特に、電気光学効果を有する複数の光シャッタ素子を主走査方向に並置した光シャッタモジュールによって光源から放射された光を変調し、印画紙などの感光材上に画像を描画する固体走査型光書込み装置に関する。
【背景技術】
【０００２】
従来から、銀塩感材を用いた印画紙やフィルムに画像を形成するための光書込み装置として、オン／オフ制御が可能な発光ダイオードを光源として用い、電気光学効果を有する材料であるＰＬＺＴやＬｉＮｂＯ3からなる光シャッタチップに複数の光変調領域（光シャッタ素子）を形成し、該チップを主走査方向にアレイ状に配設して光をオン／オフ制御する固体走査型光書込み装置が、例えば、特許文献１に開示されている。光シャッタ素子には駆動のために個別電極と共通電極とが設けられている。
【０００３】
しかしながら、この種の光書込み装置にあっては、グレー画像を描画する場合、主走査方向における駆動素子（光シャッタ素子）の多寡により、同一階調の描画であるにも拘わらず、画像に濃度差が現れてしまうという問題点を有していた。
【０００４】
これは、光シャッタ素子のオン／オフ時において、素子にその充放電により電流が発生し、その結果、光シャッタ素子に印加される駆動電圧が過度的に変動することに起因する。さらに、駆動する画素（素子）が異なる場合にも過度的な電圧変動が生じ、それが濃度差に現れる。
【０００５】
また、それぞれの光シャッタ素子の特性に基づいて漏れ光量にも差違が生じるため、グレー画像においては画素単位の筋状のむらが発生するという問題点をも有していた。
【０００６】
具体的には、図１３に示すように、ＲＧＢのそれぞれの描画色ごとに割り当てられた時間Ｔにおいて、光源である発光ダイオード（以下ＬＥＤと記す）は時間Ｔの開始タイミングｔ１でオンされ、終了タイミングｔ２でオフされる。各光シャッタ素子Ｎｏ．１、Ｎｏ．２…Ｎｏ．Ｋは開始タイミングｔ１から僅かに遅延したタイミングｔ３にてオンされ、所定の階調に応じたタイミングｔ４でオフされる。但し、ｔ４は所定階調での平均オフタイミングを示す。即ち、図１３において、素子Ｎｏ．１、Ｎｏ．２…Ｎｏ．Ｋは同じ階調を描画しているが、各素子ごとの透過光量特性の微差を補正するために、同じ階調であってもオン（露光）時間が微小に異なっている。
【０００７】
以上の制御においては、図１３の領域ａに示すように、各シャッタ素子を同時にオンするために、過度電流によるノイズの影響が領域ｂに示すように光出力波形に重畳する。この重畳度合が駆動する負荷（光シャッタ素子の数）によって異なるため、同一階調のグレーにおいて、主走査方向の幅の違いで画像に濃度差が生じる。
【０００８】
また、領域ｃには、漏れ光の特性がそれぞれの光シャッタ素子ごとに異なるため、画素（素子）単位で筋状のむらが発生する。
【０００９】
なお、領域ｄに示すように、各光シャッタ素子をオフするタイミングは、同じ階調であっても各素子ごとにオン時間を補正しているためにばらついており、ノイズの影響は少なく無視できる。
【００１０】
ところで、特許文献２では、光シャッタ素子のオン／オフ時における共通電極の過度変動を抑える対策を開示しているが、光源としてハロゲンランプを用いるものであって、ＬＥＤを用いる場合の制御に関してまで言及していない。
【特許文献１】特開２００３−１１４２９号公報
【特許文献２】特開２０００−１４１７６１号公報
【発明の開示】
【発明が解決しようとする課題】
【００１１】
そこで、本発明の目的は、同一階調のグレーの描画時における濃度差の発生、あるいは筋状のむらの発生を防止できる固体走査型光書込み装置を提供することにある。
【課題を解決するための手段】
【００１２】
以上の目的を達成するため、本発明に係る固体走査型光書込み装置は、電気光学効果を有する複数の光シャッタ素子を主走査方向に並置した光シャッタモジュールと、１画素の描画に割り当てられた書込み時間内でオン／オフ制御可能であって前記光シャッタ素子に光を照射する光源と、それぞれの光シャッタ素子のオン／オフを画像データに応じて変調するための第１の駆動回路と、前記光源のオン／オフを制御するための第２の駆動回路と、を備え、光シャッタ素子のオン／オフ時の過度変動及びオフした後の素子特性に基づく漏れ光量の差違が、描画像に与える影響を排除するように光源及び光シャッタ素子を制御することを特徴とする。
【００１３】
具体的には、第１の発明は、第１の駆動回路は１走査ごとに各光シャッタ素子を同時にオンし、第２の駆動回路は１走査ごとに光源を光シャッタ素子のオンから所定時間後にオンすることを特徴とする。光シャッタ素子の共通電極の過度特性が沈静化した後に光源をオンするため、素子オン時の過度変動を抑え、階調特性が崩れにくくなり、同一階調のグレーの描画時における濃度差が解消される。
【００１４】
第１の発明において、第２の駆動回路は１走査ごとに光源を光シャッタ素子のオンから所定時間後にオンするとともに、第１の駆動回路の最大露光時間で光源をオフするようにしてもよい。同一階調のグレーの描画時における濃度差が解消されるとともに、筋状のむらの発生が解消される。
【００１５】
あるいは、第２の駆動回路は１走査ごとに光源を光シャッタ素子のオンから所定時間後にオンするとともに、画像データに含まれる最大階調に応じた露光時間で光源をオフするようにしてもよい。同一階調のグレーの描画時における濃度差が解消されるとともに、筋状のむらの発生が解消される。
【００１６】
あるいは、第２の駆動回路は１走査ごとに光源を光シャッタ素子のオンから所定時間後にオンするとともに、該１走査の画像データに含まれる最大階調に応じた露光時間で光源をオフするようにしてもよい。同一階調のグレーの描画時における濃度差が解消されるとともに、筋状のむらの発生が解消される。
【００１７】
第２の発明は、第１の駆動回路は１走査ごとに各光シャッタ素子を同時にオフし、第２の駆動回路は１走査ごとに光源を光シャッタ素子のオフと同時にオフすることを特徴とする。光シャッタ素子を同時にオフするため、このオフ時に過度電流のノイズの影響が出るが、同時に光源もオフするために画像にノイズの影響が発生することはない。
【００１８】
第２の発明において、第２の駆動回路は１走査ごとに光源を第１の駆動回路の最大露光時間オン状態に維持するとともに光シャッタ素子のオフと同時にオフするようにしてもよい。光シャッタ素子オフ時に画像に発生するノイズの影響が解消されるとともに、光シャッタ素子をオンする直前の漏れ光による筋状のむらの発生が解消される。
【００１９】
あるいは、第２の駆動回路は１走査ごとに光源を画像データに含まれる最大階調に応じた露光時間オン状態に維持するとともに光シャッタ素子のオフと同時にオフするようにしてもよい。光シャッタ素子オフ時に画像に発生するノイズの影響が解消されるとともに、光シャッタ素子をオンする直前の漏れ光による筋状のむらの発生が解消される。
【００２０】
あるいは、第２の駆動回路は１走査ごとに光源を該１走査の画像データに含まれる最大階調に応じた露光時間オン状態に維持するとともに光シャッタ素子のオフと同時にオフするようにしてもよい。光シャッタ素子オフ時に画像に発生するノイズの影響が解消されるとともに、光シャッタ素子をオンする直前の漏れ光による筋状のむらの発生が解消される。
【００２１】
第３の発明は、第２の駆動回路は１走査ごとに第１の駆動回路の最大露光時間で光源をオフすることを特徴とする。光シャッタ素子がオフした後、比較的短い短時間で光源がオフされるため、各光シャッタ素子からの漏れ光による階調特性の崩れが軽減され、筋状のむらの発生が解消される。
【００２２】
第４の発明は、第２の駆動回路は１走査ごとに画像データに含まれる最大階調に応じた露光時間で光源をオフすることを特徴とする。光シャッタ素子がオフした後、比較的短い時間で光源がオフされるため、各光シャッタ素子からの漏れ光による階調特性の崩れが軽減され、筋状のむらの発生が解消される。
【００２３】
第５の発明は、第２の駆動回路は１走査ごとに該１走査の画像データに含まれる最大階調に応じた露光時間で光源をオフすることを特徴とする。光シャッタ素子がオフした後、極力短い時間で光源がオフされるため、各光シャッタ素子からの漏れ光による階調特性の崩れが軽減され、筋状のむらの発生が解消される。
【００２４】
また、本発明において、光源として発光ダイオードを用いることが好ましい。発光ダイオードは１画素の描画に割り当てられた書込み時間内でオン／オフを瞬時に制御可能であり、本発明に好適に用いることができる。
【発明を実施するための最良の形態】
【００２５】
以下、本発明に係る固体走査型光書込み装置の実施例について、添付図面を参照して説明する。
【００２６】
（固体走査型光書込み装置の概略構成、図１参照）
図１に示す固体走査型光書込み装置は、印画紙や感光フィルムなどの記録媒体上に画像を形成するためのプリントヘッドとして構成したもので、概略、光源ユニット１と、光ファイバアレイ５と、偏光子６と、光シャッタモジュール１０と検光子７と、結像レンズアレイ８とで構成されている。
【００２７】
光源ユニット１は、描画光であるＲＧＢの三色に分けられた複数のＬＥＤ群１Ｒ，１Ｇ，１Ｂから放射された光を、ダイクロイックミラー２Ｒ，２Ｇ，２Ｂでそれぞれ反射／透過させて光ファイバアレイ５の入射端部５ａに導く。ＬＥＤ群１Ｒ，１Ｇ，１Ｂのオン／オフは駆動回路４にて制御される。
【００２８】
光ファイバアレイ５は、多数の光ファイバ単体を集束したもので、入射端部５ａから入射した光を出射端部５ｂから直線状に出射する。偏光子６と検光子７はクロスニコルに配置され、かつ、各偏光面が各光シャッタ素子へ印加される電界方向に対して４５°になるように配置されている。
【００２９】
光シャッタモジュール１０は、ガラス製の基板１１上にＰＬＺＴからなる複数の光シャッタチップ１２を主走査方向Ｘに配置し、各光シャッタチップ１２に形成されている個々の光シャッタ素子を駆動ＩＣ１３にて駆動する。なお、この種の電気光学効果を有する光シャッタ素子を階調を有する画像データに基づいてオン／オフ駆動し、ＲＧＢの３色の光によって印画紙上にカラー画像を形成する基本的な方法は従来周知であり、その説明は省略する。
【００３０】
（第１実施例、図２参照）
第１実施例は、図２に示すように、駆動ＩＣ１３は１走査ごとに各光シャッタ素子Ｎｏ．１，Ｎｏ．２…Ｎｏ．Ｋを、描画色ごとに割り当てられた時間Ｔの開始タイミングｔ１と同時にオンし、所定の階調に応じたタイミングｔ５でオフする。但し、ｔ５は所定階調での平均オフタイミングを示す。図２において、素子Ｎｏ．１，Ｎｏ．２…Ｎｏ．Ｋは同じ階調を描画しているが、各素子ごとに透過光量特性の微差を補正するために同じ階調であってもオン（露光）時間が微小に異なっている。
【００３１】
一方、駆動回路４は１走査ごとにＬＥＤ群１Ｒ，１Ｇ，１Ｂを開始タイミングｔ１から僅かに遅延したタイミングｔ６にてオンし、終了タイミングｔ２でオフする。
【００３２】
本第１実施例においては、光源のオンを光シャッタ素子Ｎｏ．１，Ｎｏ．２…Ｎｏ．Ｋのオンタイミングｔ１よりも遅らせているため、光シャッタ素子の共通電極の過度特性が沈静化した後に光源がオンされることになり、領域ａに示す素子オン時の過度電流によるノイズの影響が光源オン時の光出力波形に影響しにくくなる（領域ｂ参照）。これにて、各光シャッタ素子Ｎｏ．１，Ｎｏ．２…Ｎｏ．Ｋでの光出力波形における階調特性が崩れにくくなり、同一階調のグレーの描画時における濃度差が解消される。
【００３３】
また、領域ｄでは、各光シャッタ素子Ｎｏ．１，Ｎｏ．２…Ｎｏ．Ｋをオフするタイミングは、同じ階調であっても各素子ごとにオン時間を補正しているためにばらついており、ノイズの影響は少なく無視できる。
【００３４】
（第２実施例、図３参照）
第２実施例は、図３に示すように、駆動ＩＣ１３は１走査ごとに各光シャッタ素子Ｎｏ．１，Ｎｏ．２…Ｎｏ．Ｋを、描画色ごとに割り当てられた時間Ｔの終了タイミングｔ２と同時にオフする。各光シャッタ素子Ｎｏ．１，Ｎｏ．２…Ｎｏ．Ｋをオンするタイミングは所定の階調に応じた露光時間（各素子ごとに補正されている）が確保されるタイミングｔ７（平均露光時間で示している）である。
【００３５】
一方、駆動回路４は１走査ごとにＬＥＤ群１Ｒ，１Ｇ，１Ｂを描画色ごとに割り当てられた時間Ｔの開始タイミングｔ１でオンし、終了タイミングｔ２でオフする。即ち、光源は光シャッタ素子Ｎｏ．１，Ｎｏ．２…Ｎｏ．Ｋのオフと同時にオフされる。
【００３６】
本第２実施例においては、光シャッタ素子Ｎｏ．１，Ｎｏ．２…Ｎｏ．Ｋを同時にオフするため、このオフ時に領域ｅにおいて過度電流のノイズの影響が出るが、同時に光源もオフするためにこのノイズの影響は小さく（領域ｆ参照）、画像にノイズの影響が発生することはない。
【００３７】
また、各光シャッタ素子Ｎｏ．１，Ｎｏ．２…Ｎｏ．Ｋをオンするタイミングは、同じ階調であっても各素子ごとにオン時間を補正しているためにばらついており（領域ａ参照）、ノイズの影響は少なく無視できる（領域ｂ参照）。
【００３８】
（第３実施例、図４参照）
第３実施例は、図４に示すように、駆動回路４は１走査ごとにＬＥＤ群１Ｒ，１Ｇ，１Ｂを描画色ごとに割り当てられた時間Ｔの開始タイミングｔ１でオンし、駆動ＩＣ１３の最大露光時間が終了するタイミングｔ８でオフする。
【００３９】
一方、駆動ＩＣ１３は１走査ごとに各光シャッタ素子Ｎｏ．１，Ｎｏ．２…Ｎｏ．Ｋを開始タイミングｔ１から僅かに遅延したタイミングｔ３にてオンし、所定の階調に応じたタイミングにてオフする。
【００４０】
本第３実施例においては、光シャッタ素子Ｎｏ．１，Ｎｏ．２…Ｎｏ．Ｋがオフした後、比較的短い時間で光源がオフされるため、漏れ光の影響が排除される。即ち、領域ｇに示すように、各光シャッタ素子Ｎｏ．１，Ｎｏ．２…Ｎｏ．Ｋからの漏れ光による階調特性の崩れが軽減され、筋状のむらの発生が解消される。
【００４１】
（第４実施例、図５参照）
第４実施例は、図５に示すように、駆動回路４は１走査ごとにＬＥＤ群１Ｒ，１Ｇ，１Ｂを描画色ごとに割り当てられた時間Ｔの開始タイミングｔ１でオンし、画像データに含まれる（即ち、描画像又は階調用ルックアップテーブル（ＬＵＴ）の）最大階調に応じた露光時間が終了するタイミングｔ９でオフする。
【００４２】
一方、駆動ＩＣ１３は１走査ごとに各光シャッタ素子Ｎｏ．１，Ｎｏ．２…Ｎｏ．Ｋを開始タイミングｔ１から僅かに遅延したタイミングｔ３にてオンし、所定の階調に応じたタイミングにてオフする。
【００４３】
本第４実施例においては、光シャッタ素子Ｎｏ．１，Ｎｏ．２…Ｎｏ．Ｋがオフした後、比較的短い時間で光源がオフされるため、漏れ光の影響が排除される。即ち、領域ｇに示すように、各光シャッタ素子Ｎｏ．１，Ｎｏ．２…Ｎｏ．Ｋからの漏れ光による階調特性の崩れが軽減され、筋状のむらの発生が解消される。
【００４４】
（第５実施例、図６参照）
第５実施例は、図６に示すように、駆動回路４は１走査ごとにＬＥＤ群１Ｒ，１Ｇ，１Ｂを描画色ごとに割り当てられた時間Ｔの開始タイミングｔ１でオンし、１走査ラインの最大露光時間（即ち、１走査の画像データに含まれる最大階調に応じた露光時間）が終了するタイミングｔ１０でオフする。
【００４５】
一方、駆動ＩＣ１３は１走査ごとに各光シャッタ素子Ｎｏ．１，Ｎｏ．２…Ｎｏ．Ｋを開始タイミングｔ１から僅かに遅延したタイミングｔ３にてオンし、所定の階調に応じたタイミングにてオフする。
【００４６】
本第５実施例においては、光シャッタ素子Ｎｏ．１，Ｎｏ．２…Ｎｏ．Ｋがオフした後、極力短時間で光源がオフされるため、漏れ光の影響が排除される。即ち、領域ｇに示すように、各光シャッタ素子Ｎｏ．１，Ｎｏ．２…Ｎｏ．Ｋからの漏れ光による階調特性の崩れが軽減され、筋状のむらの発生が解消される。
【００４７】
（第６実施例、図７参照）
第６実施例は、図７に示すように、駆動ＩＣ１３は１走査ごとに各光シャッタ素子Ｎｏ．１，Ｎｏ．２…Ｎｏ．Ｋを、描画色ごとに割り当てられた時間Ｔの開始タイミングｔ１と同時にオンし、所定の階調に応じたタイミングでオフする。
【００４８】
一方、駆動回路４は１走査ごとにＬＥＤ群１Ｒ，１Ｇ，１Ｂを開始タイミングｔ１から僅かに遅延したタイミングｔ６にてオンし、駆動ＩＣ１３の最大露光時間が終了するタイミングｔ８でオフする。
【００４９】
本第６実施例は、前記第１及び第３実施例を組み合わせたもので、第１実施例と同様に同一階調のグレーの描画時における濃度差が解消される（領域ｂ参照）とともに、第３実施例と同様に筋状のむらの発生が解消される（領域ｇ参照）。
【００５０】
（第７実施例、図８参照）
第７実施例は、図８に示すように、駆動ＩＣ１３は１走査ごとに各光シャッタ素子Ｎｏ．１，Ｎｏ．２…Ｎｏ．Ｋを、描画色ごとに割り当てられた時間Ｔの開始タイミングｔ１と同時にオンし、所定の階調に応じたタイミングでオフする。
【００５１】
一方、駆動回路４は１走査ごとにＬＥＤ群１Ｒ，１Ｇ，１Ｂを開始タイミングｔ１から僅かに遅延したタイミングｔ６にてオンし、画像データに含まれる（即ち、描画像又は階調用ルックアップテーブル（ＬＵＴ）の）最大階調に応じた露光時間が終了するタイミングｔ９でオフする。
【００５２】
本第７実施例は、前記第１及び第４実施例を組み合わせたもので、第１実施例と同様に同一階調のグレーの描画時における濃度差が解消される（領域ｂ参照）とともに、第４実施例と同様に筋状のむらの発生が解消される（領域ｇ参照）。
【００５３】
（第８実施例、図９参照）
第８実施例は、図９に示すように、駆動ＩＣ１３は１走査ごとに各光シャッタ素子Ｎｏ．１，Ｎｏ．２…Ｎｏ．Ｋを、描画色ごとに割り当てられた時間Ｔの開始タイミングｔ１と同時にオンし、所定の階調に応じたタイミングでオフする。
【００５４】
一方、駆動回路４は１走査ごとにＬＥＤ群１Ｒ，１Ｇ，１Ｂを開始タイミングｔ１から僅かに遅延したタイミングｔ６にてオンし、１走査ラインの最大露光時間（即ち、１走査の画像データに含まれる最大階調に応じた露光時間）が終了するタイミングｔ１０でオフする。
【００５５】
本第８実施例は、前記第１及び第５実施例を組み合わせたもので、第１実施例と同様に同一階調のグレーの描画時における濃度差が解消される（領域ｂ参照）とともに、第５実施例と同様に筋状のむらの発生が解消される（領域ｇ参照）。
【００５６】
（第９実施例、図１０参照）
第９実施例は、図１０に示すように、駆動ＩＣ１３は１走査ごとに各光シャッタ素子Ｎｏ．１，Ｎｏ．２…Ｎｏ．Ｋを、描画色ごとに割り当てられた時間Ｔの終了タイミングｔ２と同時にオフする。各光シャッタ素子Ｎｏ．１，Ｎｏ．２…Ｎｏ．Ｋをオンするタイミング（領域ａ参照）は所定の階調に応じた露光時間が確保されるタイミングである。
【００５７】
一方、駆動回路４は１走査ごとにＬＥＤ群１Ｒ，１Ｇ，１Ｂを駆動ＩＣ１３の最大露光時間オン状態に維持するとともに、光シャッタ素子Ｎｏ．１，Ｎｏ．２…Ｎｏ．Ｋのオフと同時にオフする。この場合、ＬＥＤ群１Ｒ，１Ｇ，１Ｂをオンするタイミングはｔ１１である。
【００５８】
本第９実施例では第２実施例と同様に光シャッタ素子オフ時に画像に発生するノイズの影響が解消される（領域ｆ参照）。また、領域ｈに示すように、光シャッタ素子Ｎｏ．１，Ｎｏ．２…Ｎｏ．Ｋをオンする直前（タイミングｔ１からｔ１１までの間）の漏れ光による筋状のむらの発生が解消される。
【００５９】
（第１０実施例、図１１参照）
第１０実施例は、図１１に示すように、駆動ＩＣ１３は１走査ごとに各光シャッタ素子Ｎｏ．１，Ｎｏ．２…Ｎｏ．Ｋを、描画色ごとに割り当てられた時間Ｔの終了タイミングｔ２と同時にオフする。各光シャッタ素子Ｎｏ．１，Ｎｏ．２…Ｎｏ．Ｋをオンするタイミングは所定の階調に応じた露光時間が確保されるタイミング（領域ａ参照）である。
【００６０】
一方、駆動回路４は１走査ごとにＬＥＤ群１Ｒ，１Ｇ，１Ｂを画像データに含まれる（即ち、描画像又は階調用ルックアップテーブル（ＬＵＴ）の）最大階調に応じた露光時間オン状態に維持するとともに、光シャッタ素子Ｎｏ．１，Ｎｏ．２…Ｎｏ．Ｋのオフと同時にオフする。この場合、ＬＥＤ群１Ｒ，１Ｇ，１Ｂをオンするタイミングはｔ１２である。
【００６１】
本第１０実施例では第２実施例と同様に光シャッタ素子オフ時に画像に発生するノイズの影響が解消される（領域ｆ参照）。また、領域ｈに示すように、光シャッタ素子Ｎｏ．１，Ｎｏ．２…Ｎｏ．Ｋをオンする直前（タイミングｔ１からｔ１２までの間）の漏れ光による筋状のむらの発生が解消される。
【００６２】
（第１１実施例、図１２参照）
第１１実施例は、図１２に示すように、駆動ＩＣ１３は１走査ごとに各光シャッタ素子Ｎｏ．１，Ｎｏ．２…Ｎｏ．Ｋを、描画色ごとに割り当てられた時間Ｔの終了タイミングｔ２と同時にオフする。各光シャッタ素子Ｎｏ．１，Ｎｏ．２…Ｎｏ．Ｋをオンするタイミングは所定の階調に応じた露光時間が確保されるタイミング（領域ａ参照）である。
【００６３】
一方、駆動回路４は１走査ごとにＬＥＤ群１Ｒ，１Ｇ，１Ｂを１走査ラインの最大露光時間（即ち、１走査の画像データに含まれる最大階調に応じた露光時間）オン状態に維持するとともに、光シャッタ素子Ｎｏ．１，Ｎｏ．２…Ｎｏ．Ｋのオフと同時にオフする。この場合、ＬＥＤ群１Ｒ，１Ｇ，１Ｂをオンするタイミングはｔ１３である。
【００６４】
本第１１実施例では第２実施例と同様に光シャッタ素子オフ時に画像に発生するノイズの影響が解消される（領域ｆ参照）。また、領域ｈに示すように、光シャッタ素子Ｎｏ．１，Ｎｏ．２…Ｎｏ．Ｋをオンする直前（タイミングｔ１からｔ１３までの間）の漏れ光による筋状のむらの発生が解消される。
【００６５】
（他の実施例）
なお、本発明に係る固体走査型光書込み装置は前記実施例に限定するものではなく、その要旨の範囲内で種々に変更できることは勿論である。
【図面の簡単な説明】
【００６６】
【図１】本発明に係る固体走査型光書込み装置の一例を示す斜視図である。
【図２】第１実施例での制御を示すタイミングチャート図である。
【図３】第２実施例での制御を示すタイミングチャート図である。
【図４】第３実施例での制御を示すタイミングチャート図である。
【図５】第４実施例での制御を示すタイミングチャート図である。
【図６】第５実施例での制御を示すタイミングチャート図である。
【図７】第６実施例での制御を示すタイミングチャート図である。
【図８】第７実施例での制御を示すタイミングチャート図である。
【図９】第８実施例での制御を示すタイミングチャート図である。
【図１０】第９実施例での制御を示すタイミングチャート図である。
【図１１】第１０実施例での制御を示すタイミングチャート図である。
【図１２】第１１実施例での制御を示すタイミングチャート図である。
【図１３】従来例での制御を示すタイミングチャート図である。
【符号の説明】
【００６７】
１…光源ユニット
１Ｒ，１Ｇ，１Ｂ…ＬＥＤ群
４…光源駆動回路
１０…光シャッタモジュール
１３…駆動ＩＣ
【図１】
2006224409.tif 000003
【図２】
2006224409.tif 000004
【図３】
2006224409.tif 000005
【図４】
2006224409.tif 000006
【図５】
2006224409.tif 000007
【図６】
2006224409.tif 000008
【図７】
2006224409.tif 000009
【図８】
2006224409.tif 000010
【図９】
2006224409.tif 000011
【図１０】
2006224409.tif 000012
【図１１】
2006224409.tif 000013
【図１２】
2006224409.tif 000014
【図１３】
2006224409.tif 000015